(57)【特許請求の範囲】
【請求項１】
移動体の出発地及び行き先を管理する移動体管理装置と、当該移動体に搭載された情報処理端末と、に通信接続された情報配信装置であって、
地域の範囲情報と、当該地域に関する配信情報と、を対応付けて記憶し、配信情報の被提供者の識別情報と、当該被提供者の生活圏の地域の範囲情報と、を対応付けて記憶する記憶手段と、
前記移動体管理装置から、移動体の識別情報と、当該移動体の出発地情報及び行き先情報と、を受信する受信手段と、
前記受信された移動体の識別情報に対応する移動体に乗っている被提供者の識別情報を取得する取得手段と、
前記記憶手段から、前記取得された被提供者の識別情報に対応する生活圏の地域の範囲情報を読み出し、当該読み出された生活圏の地域の範囲情報により、前記受信された出発地情報及び行き先情報が生活圏内であるか否かを判別する判別手段と、
前記受信された出発地情報及び行き先情報の少なくとも１つが生活圏外である場合に、前記記憶手段から、生活圏外である出発地情報及び行き先情報の少なくとも１つが含まれる地域の範囲情報に対応する配信情報を読み出して、前記受信された移動体の識別情報に対応する情報処理端末に送信する送信手段と、を備える情報配信装置。
【請求項２】
前記記憶手段は、地域に関連しない配信情報を記憶し、
前記送信手段は、前記受信された出発地情報及び行き先情報の両方が生活圏内である場合に、前記記憶手段から、前記地域に関連しない配信情報を読み出して前記情報処理端末に送信する請求項１に記載の情報配信装置。
【請求項３】
前記送信手段は、前記受信された出発地情報及び行き先情報の両方が生活圏外である場合に、前記記憶手段から、当該行き先情報が含まれる地域の範囲情報に対応する配信情報を読み出して前記情報処理端末に送信する請求項１又は２に記載の情報配信装置。
【請求項４】
前記取得手段は、前記受信された移動体の識別情報に対応する被提供者の識別情報として、当該移動体に設置された入力手段に入力された被提供者の識別情報を取得する請求項１から３のいずれか一項に記載の情報配信装置。
【請求項５】
前記移動体は、タクシーであり、
前記被提供者は、タクシーの乗客である請求項１から４のいずれか一項に記載の情報配信装置。
【請求項６】
移動体の出発地及び行き先を管理する移動体管理装置から、移動体の識別情報と、当該移動体の出発地情報及び行き先情報と、を受信する工程と、
前記受信された移動体の識別情報に対応する移動体に乗っている配信情報の被提供者の識別情報を取得する工程と、
地域の範囲情報と、当該地域に関する配信情報と、を対応付けて記憶し、被提供者の識別情報と、当該被提供者の生活圏の地域の範囲情報と、を対応付けて記憶する記憶手段から、前記取得された被提供者の識別情報に対応する生活圏の地域の範囲情報を読み出し、当該読み出された生活圏の地域の範囲情報により、前記受信された出発地情報及び行き先情報が生活圏内であるか否かを判別する工程と、
前記受信された出発地情報及び行き先情報の少なくとも１つが生活圏外である場合に、前記記憶手段から、生活圏外である出発地情報及び行き先情報の少なくとも１つが含まれる地域の範囲情報に対応する配信情報を読み出して、前記受信された移動体の識別情報に対応する情報処理端末に送信する工程と、を含む情報配信方法。
【請求項７】
移動体の出発地及び行き先を管理する移動体管理装置と、当該移動体に搭載された情報処理端末と、に通信接続された情報配信装置のコンピュータを、
地域の範囲情報と、当該地域に関する配信情報と、を対応付けて記憶し、配信情報の被提供者の識別情報と、当該被提供者の生活圏の地域の範囲情報と、を対応付けて記憶する記憶手段、
前記移動体管理装置から、移動体の識別情報と、当該移動体の出発地情報及び行き先情報と、を受信する受信手段、
前記受信された移動体の識別情報に対応する移動体に乗っている被提供者の識別情報を取得する取得手段、
前記記憶手段から、前記取得された被提供者の識別情報に対応する生活圏の地域の範囲情報を読み出し、当該読み出された生活圏の地域の範囲情報により、前記受信された出発地情報及び行き先情報が生活圏内であるか否かを判別する判別手段、
前記受信された出発地情報及び行き先情報の少なくとも１つが生活圏外である場合に、前記記憶手段から、生活圏外である出発地情報及び行き先情報の少なくとも１つが含まれる地域の範囲情報に対応する配信情報を読み出して、前記受信された移動体の識別情報に対応する情報処理端末に送信する送信手段、
として機能させるためのプログラム。
【発明の詳細な説明】
【技術分野】
【０００１】
本発明は、移動体に搭載された情報処理端末に情報配信する情報配信装置、情報配信方法及びプログラムに関する。
【背景技術】
【０００２】
従来、タクシーが車載端末を備え、サーバから車載端末に広告データを配信して表示させる広告システムが知られている。タクシーの乗客は、表示された広告データを閲覧する。この広告システムとして、目的地の情報を知りたい乗客により目的地の広告の指示が入力された場合に、目的地に応じた広告データを表示するものが知られている（特許文献１参照）。
【０００３】
また、複数のユーザの移動履歴を記録し、一定の頻度を超えて滞在する場所としての基準区画から一定の距離だけ離れた滞在場所を訪問区画として移動履歴から抽出し、あるユーザが訪問区画に移動した場合に、他人の移動履歴に記録された訪問区画に関する情報を当該ユーザに提供する車載の情報提供装置が知られている（特許文献２参照）。
【０００４】
また、情報配信サーバが、運行中のバスの現在地に応じて、停留所毎に、バスに乗車してきた顧客の携帯電話機へ、乗車位置（停留所）に応じて異なる広告の乗車時送信情報を送信して表示させる広告システムが知られている（特許文献３参照）。
【先行技術文献】
【特許文献】
【０００５】
【特許文献１】特許４０２７２７２号公報
【特許文献２】特許３７２２４４４号公報
【特許文献３】特開２００１−２８３０８９号公報
【発明の概要】
【発明が解決しようとする課題】
【０００６】
しかし、現在地に対応する広告を表示する従来のシステムをタクシーに適用すると、走行中のタクシー内に現在地に関する広告を表示しても、走行中に過ぎ去る広告主の店舗の広告を打つことになるため、乗客はメモをとる以外にどうすることもできなかった。このため、現在地に対応する広告が、乗客に有用なものとならず、広告主の集客や商品販売につながる確率が低かった。
【０００７】
また、訪問区画に関する情報をユーザに提供する従来の情報提供装置では、現在地が訪問区画である場合に情報をユーザに提供するので、訪問区画までの移動時間を有効に利用できていなかった。
【０００８】
また、タクシーにおいて目的地に対応する広告を表示する従来のシステムでは、タクシーの行き先が必ずしも乗客の訪問先であるとは限らない。例えば、訪問先を訪問後にタクシーに乗車する乗客の行き先は、生活圏内の自宅や勤務先になることが多い。このため、目的地に対応する広告が、乗客の来店意欲や商品購買意欲につながらないおそれがあった。
【０００９】
本発明の課題は、タクシー等の移動体が行き先に到着するまでの移動時間を有効に利用するとともに、移動体に乗っている乗客等の被提供者に有用な広告情報等の配信情報を提供することである。
【課題を解決するための手段】
【００１０】
上記課題を解決するために、本発明に係る情報配信装置は、
移動体の出発地及び行き先を管理する移動体管理装置と、当該移動体に搭載された情報処理端末と、に通信接続された情報配信装置であって、
地域の範囲情報と、当該地域に関する配信情報と、を対応付けて記憶し、配信情報の被提供者の識別情報と、当該被提供者の生活圏の地域の範囲情報と、を対応付けて記憶する記憶手段と、
前記移動体管理装置から、移動体の識別情報と、当該移動体の出発地情報及び行き先情報と、を受信する受信手段と、
前記受信された移動体の識別情報に対応する移動体に乗っている被提供者の識別情報を取得する取得手段と、
前記記憶手段から、前記取得された被提供者の識別情報に対応する生活圏の地域の範囲情報を読み出し、当該読み出された生活圏の地域の範囲情報により、前記受信された出発地情報及び行き先情報が生活圏内であるか否かを判別する判別手段と、
前記受信された出発地情報及び行き先情報の少なくとも１つが生活圏外である場合に、前記記憶手段から、生活圏外である出発地情報及び行き先情報の少なくとも１つが含まれる地域の範囲情報に対応する配信情報を読み出して、前記受信された移動体の識別情報に対応する情報処理端末に送信する送信手段と、を備える。
【００１１】
また、前記記憶手段は、地域に関連しない配信情報を記憶し、
前記送信手段は、前記受信された出発地情報及び行き先情報の両方が生活圏内である場合に、前記記憶手段から、前記地域に関連しない配信情報を読み出して前記情報処理端末に送信することが好ましい。
【００１２】
また、前記送信手段は、前記受信された出発地情報及び行き先情報の両方が生活圏外である場合に、前記記憶手段から、当該行き先情報が含まれる地域の範囲情報に対応する配信情報を読み出して前記情報処理端末に送信することが好ましい。
【００１３】
また、前記取得手段は、前記受信された移動体の識別情報に対応する被提供者の識別情報として、当該移動体に設置された入力手段に入力された被提供者の識別情報を取得することが好ましい。
【００１４】
また、前記移動体は、タクシーであり、前記被提供者は、タクシーの乗客であることが好ましい。
【００１５】
本発明に係る情報配信方法は、
移動体の出発地及び行き先を管理する移動体管理装置から、移動体の識別情報と、当該移動体の出発地情報及び行き先情報と、を受信する工程と、
前記受信された移動体の識別情報に対応する移動体に乗っている配信情報の被提供者の識別情報を取得する工程と、
地域の範囲情報と、当該地域に関する配信情報と、を対応付けて記憶し、被提供者の識別情報と、当該被提供者の生活圏の地域の範囲情報と、を対応付けて記憶する記憶手段から、前記取得された被提供者の識別情報に対応する生活圏の地域の範囲情報を読み出し、当該読み出された生活圏の地域の範囲情報により、前記受信された出発地情報及び行き先情報が生活圏内であるか否かを判別する工程と、
前記受信された出発地情報及び行き先情報の少なくとも１つが生活圏外である場合に、前記記憶手段から、生活圏外である出発地情報及び行き先情報の少なくとも１つが含まれる地域の範囲情報に対応する配信情報を読み出して、前記受信された移動体の識別情報に対応する情報処理端末に送信する工程と、を含む。
【００１６】
本発明に係るプログラムは、
移動体の出発地及び行き先を管理する移動体管理装置と、当該移動体に搭載された情報処理端末と、に通信接続された情報配信装置のコンピュータを、
地域の範囲情報と、当該地域に関する配信情報と、を対応付けて記憶し、配信情報の被提供者の識別情報と、当該被提供者の生活圏の地域の範囲情報と、を対応付けて記憶する記憶手段、
前記移動体管理装置から、移動体の識別情報と、当該移動体の出発地情報及び行き先情報と、を受信する受信手段、
前記受信された移動体の識別情報に対応する移動体に乗っている被提供者の識別情報を取得する取得手段、
前記記憶手段から、前記取得された被提供者の識別情報に対応する生活圏の地域の範囲情報を読み出し、当該読み出された生活圏の地域の範囲情報により、前記受信された出発地情報及び行き先情報が生活圏内であるか否かを判別する判別手段、
前記受信された出発地情報及び行き先情報の少なくとも１つが生活圏外である場合に、前記記憶手段から、生活圏外である出発地情報及び行き先情報の少なくとも１つが含まれる地域の範囲情報に対応する配信情報を読み出して、前記受信された移動体の識別情報に対応する情報処理端末に送信する送信手段、
として機能させる。
【発明の効果】
【００１７】
本発明によれば、移動体が行き先に到着するまでの移動時間を有効に利用できるとともに、移動体に乗っている被提供者に有用な配信情報を提供できる。
【図面の簡単な説明】
【００１８】
【図１】本発明の実施の形態の情報配信システムを示すブロック図である。
【図２】乗客管理データベースを示す図である。
【図３】地域情報データベースを示す図である。
【図４】ＩＤ管理テーブルを示す図である。
【図５】広告情報配信処理を示すフローチャートである。
【図６】広告情報表示処理を示すフローチャートである。
【発明を実施するための形態】
【００１９】
以下、添付図面を参照して本発明に係る実施の形態を詳細に説明する。なお、本発明は、図示例に限定されるものではない。
【００２０】
［１．実施の形態］
［１−１．装置構成の説明］
図１を参照して、本実施の形態の装置構成を説明する。図１は、本実施の形態の情報配信システム１を示すブロック図である。
【００２１】
情報配信システム１は、依頼元の依頼に応じて配車される移動体としてのタクシーに搭載された情報処理端末に、配信情報としての広告情報を配信し、情報処理端末における広告情報の表示により、タクシーに乗車している広告情報の被提供者としての乗客に広告情報を提供するシステムである。タクシーの配車の依頼元は、タクシーに乗車予定の顧客や、飲食店等の店舗で食事を済ませた顧客のために店舗までのタクシーの配車を依頼する店員等である。これら、タクシーの顧客や、店舗の顧客が、配車されたタクシーの乗客となる。
【００２２】
図１に示すように、情報配信システム１は、情報配信装置１０と、移動体管理装置としてのタクシー配車装置２０と、依頼元ＰＣ（Personal Computer）３０と、基地局４０，５０と、タクシー移動局装置６０と、情報処理端末７０と、入力手段としての入力部８０と、を備える。
【００２３】
タクシー配車装置２０、依頼元ＰＣ３０、基地局４０及びタクシー移動局装置６０は、依頼元から配車を依頼されると、依頼された場所にタクシーを配車するタクシー配車システムとして機能する。また、タクシー移動局装置６０、情報処理端末７０及び入力部８０は、１台のタクシーＴ１に搭載されている。また、タクシー配車装置２０、依頼元ＰＣ３０は、通信ネットワークＮを介して互いに通信接続されている。通信ネットワークＮは、インターネット等である。
【００２４】
なお、図１の情報配信システム１では、１台のタクシーＴ１を代表して図示しており、タクシーの台数と、タクシーに搭載されるタクシー移動局装置６０、情報処理端末７０及び入力部８０の台数とは、各１台に限定されるものではない。
【００２５】
情報配信装置１０は、タクシー配車装置２０により配車されたタクシーＴ１の情報処理端末７０に、配信情報として広告情報を配信する装置である。広告情報は、例えば、少なくとも静止画又は動画の画像情報を含み、当該画像情報に対応する音声情報を含むものでもよい。
【００２６】
タクシー配車装置２０は、タクシー配車を行う施設としてのタクシー配車センターに設置されたサーバ装置である。タクシー配車装置２０は、制御部、通信部、表示部、記憶部、操作部（いずれも図示略）を備える。タクシー配車装置２０の制御部は、通信部を介する管理対象のタクシーのタクシー移動局装置６０との通信により、各タクシーのリアルタイムの位置情報を管理している。また、タクシー配車装置２０の記憶部には、タクシーの顧客に関するデータを有する顧客管理データベースが記憶されている。
【００２７】
そして、タクシー配車装置２０の制御部は、依頼元ＰＣ３０から送信されたタクシー配車の依頼情報を受信する。依頼情報は、配車するタクシーの乗客となる顧客の顧客名、配車場所、台数を含む。タクシー配車装置２０の制御部は、依頼情報に含まれる配車場所、台数に基づいて、各タクシーの位置情報から配車場所付近の依頼台数分のタクシーを検索する。そして、タクシー配車装置２０の制御部は、タクシーが検索されると、通信部により、当該タクシーに搭載されたタクシー移動局装置６０に、依頼情報の配車場所への配車の指示情報を送信する。また、タクシー配車装置２０の制御部は、通信部により、配車したタクシーのタクシー移動局装置６０から、入力された行き先情報を受信する。このように、タクシー配車装置２０は、タクシーの出発地情報及び行き先情報を管理している。また、配車したタクシーでの乗客の行き先への移動後等に、依頼情報やタクシー移動局装置６０での入力情報に応じて、タクシー配車装置２０の記憶部の顧客管理データベースの乗客に関するデータが更新される。
【００２８】
また、タクシー配車センターにおいて、オペレータが依頼元から電話によりタクシー配車の依頼を受けると、タクシー配車装置２０の制御部が操作部を介してオペレータからの依頼情報の操作入力を受け付けることにより依頼情報を入力することも可能である。
【００２９】
依頼元ＰＣ３０は、依頼元が所有するＰＣである。依頼元ＰＣ３０は、制御部、通信部、表示部、操作部（いずれも図示略）を備える。依頼元ＰＣ３０の制御部は、操作部を介して、依頼元の顧客又は店員からの配車するタクシーの乗客となる顧客の顧客名、配車場所、台数等を入力する。依頼元ＰＣ３０の制御部は、入力された情報を含む依頼情報を作成し、通信部により、通信ネットワークＮを介してタクシー配車装置２０に送信する。
【００３０】
基地局４０は、タクシー無線通信を中継する基地局である。基地局４０は、タクシー配車装置２０と有線通信を行い、タクシー移動局装置６０と無線通信を行い、タクシー配車装置２０とタクシー移動局装置６０との間の通信を中継する。
【００３１】
タクシー移動局装置６０は、タクシーＴ１内のフロントパネル等に設置された情報処理装置である。タクシー移動局装置６０は、制御部、通信部、表示部、操作部（いずれも図示略）を備える。タクシー移動局装置６０の制御部は、通信部によりタクシー配車装置２０から配車の指示情報を受信して、表示部に表示する。また、タクシー移動局装置６０は、ＧＰＳ（Global Positioning System）等による測位部を備える。タクシー移動局装置６０の制御部は、測位部により測位した自車の位置情報を通信部によりタクシー配車装置２０に送信する。また、タクシー移動局装置６０の制御部は、操作部により、乗客から行き先を指示された運転手からの行き先情報の入力を受け付け、当該行き先情報を通信部によりタクシー配車装置２０に送信する。
【００３２】
基地局５０は、情報処理端末７０用の無線通信を中継する基地局である。情報処理端末７０用の無線通信は、例えば、第３世代移動通信（３Ｇ（3rd Generation））や、ＬＴＥ（Long Term Evolution）等の無線通信である。基地局５０は、情報配信装置１０と有線通信を行い、情報処理端末７０と無線通信を行い、情報配信装置１０と情報処理端末７０との間の通信を中継する。
【００３３】
情報処理端末７０は、タクシーＴ１内のフロントシートの背面等に設置されたタブレットＰＣ等の情報処理端末であり、その設置部分から取り外し可能な構成としてもよい。情報処理端末７０は、制御部、通信部、表示部、音声出力部、操作部（いずれも図示略）を備える。情報処理端末７０の制御部は、通信部により情報配信装置１０から広告情報を受信して、表示部に表示し、当該広告情報が音声情報を含む場合に、当該音声情報を音声出力部に出力させる。タクシーＴ１の乗客は、情報処理端末７０の表示部に表示された広告情報を閲覧する。
【００３４】
入力部８０は、タクシー移動局装置６０に接続され、タクシーＴ１の乗客の乗客ＩＤの入力を受け付けてタクシー移動局装置６０に出力する。タクシー移動局装置６０の制御部は、タクシーＩＤや行き先情報等とともに、入力部８０で入力された乗客ＩＤを、通信部によりタクシー配車装置に送信する。
【００３５】
例えば、乗客がタクシーＴ１のタクシー会社のＮＦＣ（Near Field Communication）等の非接触通信の会員カードを所持しており、当該会員カードに会員ＩＤとしての乗客ＩＤが書き込まれているものする。入力部８０は、乗客によりかざされた会員カードから乗客ＩＤを非接触通信により読み取る。
【００３６】
なお、入力部８０は、非接触通信の会員カードから乗客ＩＤを読み取る構成に限定されるものではない。入力部８０は、磁気カード等、非接触通信以外のカードから乗客ＩＤを読み取る構成や、乗客又は運転手からの乗客ＩＤの操作入力を受け付けるタッチパネル等の入力部等としてもよい。
【００３７】
［１−１−１．情報配信装置１０の内部構成の説明］
図１に示すように、情報配信装置１０は、判別手段としての制御部１１と、記憶手段としての記憶部１２と、通信部１３と、を備える。制御部１１及び通信部１３は、受信手段、取得手段、送信手段として機能する。
【００３８】
制御部１１は、ＣＰＵ（Central Processing Unit）、ＲＯＭ（Read Only Memory）、ＲＡＭ（Random Access Memory）を備える。ＲＯＭから読み出されて適宜ＲＡＭに展開されたプログラムと、ＣＰＵとの協働により、制御部１１は、各種処理を実行する。制御部１１のＲＯＭには、広告情報配信処理実行のための広告情報配信プログラムが記憶されている。
【００３９】
記憶部１２は、ＨＤＤ（Hard Disk Drive）等の記憶部である。記憶部１２は、後述する乗客管理データベース１００と、広告情報としての広告ファイルと、地域情報データベース２００と、ＩＤ管理テーブル３００と、が記憶されている。
【００４０】
通信部１３は、通信カード等により構成された通信部である。通信部１３は、通信接続されたタクシー配車装置２０、基地局５０と通信を行う。
【００４１】
［１−２．情報の構成の説明］
図２〜図４を参照して、情報配信装置１０の記憶部１２に記憶する情報を説明する。図２は、乗客管理データベース１００を示す図である。図３は、地域情報データベース２００を示す図である。図４は、ＩＤ管理テーブル３００を示す図である。
【００４２】
図２に示すように、乗客管理データベース１００は、乗客ＩＤ１０１、自宅位置１０２、自宅地域ＩＤ１０３、勤務先位置１０４、勤務先地域ＩＤ１０５、等のフィールドを有する。
【００４３】
乗客ＩＤ１０１は、タクシーの乗客の識別情報である。自宅位置１０２は、乗客ＩＤ１０１の乗客の生活圏としての自宅の位置情報であり、緯度経度情報であるものとする。自宅地域ＩＤ１０３は、自宅位置１０２が含まれる地域の識別情報である。この地域とは、任意に区画設定された範囲の土地の領域であり、例えば、駅等を中心とした領域や、行政区画に応じて区画された領域である。
【００４４】
勤務先位置１０４は、乗客ＩＤ１０１の乗客の生活圏としての勤務先の位置情報であり、緯度経度情報であるものとする。なお、自宅位置１０２、勤務先位置１０４は、住所等で示される位置情報としてもよい。勤務先地域ＩＤ１０５は、勤務先位置１０４が含まれる地域の識別情報である。
【００４５】
本実施の形態では、乗客管理データベース１００が、乗客の生活圏として自宅及び勤務先を含む地域の地域ＩＤのフィールドを有する構成として説明するが、他の生活圏の地域ＩＤを含める構成としてもよい。他の生活圏の地域としては、乗客が通う学校や、乗客の実家等を含む地域があり、さらに、乗客の移動ログを基に様々な手法によって特定された、その乗客の生活圏地域であってもよい。また、乗客管理データベース１００は、乗客ＩＤ１０１に対応する乗客の電話番号等、他の情報のフィールドを有する構成としてもよい。
【００４６】
図３に示すように、地域情報データベース２００は、地域ＩＤ２０１、地域名２０２、範囲情報２０３、広告ファイル名２０４、のフィールドを有する。
【００４７】
地域ＩＤ２０１は、地域の識別情報である。地域名２０２は、地域ＩＤ２０１に対応する地域の名称である。範囲情報２０３は、地域ＩＤ２０１に対応する地域の範囲を示す情報であり、当該地域に含まれる範囲の緯度経度を示す範囲情報である。なお、範囲情報２０３は、地域に含まれる住所等で示される範囲情報としてもよい。広告ファイル名２０４は、地域ＩＤ２０１の地域に関する広告ファイルの名称である。広告ファイル名２０４の広告ファイルは、地域ＩＤ２０１の地域内に存在する店舗の広告や、当該店舗で販売される商品の広告や、当該地域内で催されるイベント等の広告を表示するためのファイルである。
【００４８】
また、広告ファイル名２０４は、地域ＩＤ２０１が０（ＮＵＬＬ値）である場合の広告ファイル名を含む。地域ＩＤ２０１が０である場合の広告ファイル名２０４は、地域に関連しない広告の広告ファイル名である。地域に関連しない広告とは、例えば、全国展開されている企業のイメージ広告や、全国で販売されている商品の広告等の一般広告である。
【００４９】
図４に示すように、ＩＤ管理テーブル３００は、タクシーＩＤ３０１と、端末ＩＤ３０２と、を有する。
【００５０】
タクシーＩＤ３０１は、タクシーＴ１等のタクシーの識別情報である。端末ＩＤ３０２は、タクシーＩＤ３０１に対応するタクシーに設置された情報処理端末７０の識別情報である。なお、情報処理端末７０の端末ＩＤに、タクシーＩＤと同一のものが使用される構成としてもよい。
【００５１】
［１−３．情報配信システム１の動作の説明］
図５及び図６を参照して、情報配信システム１の動作を説明する。図５は、広告情報配信処理を示すフローチャートである。図６は、広告情報表示処理を示すフローチャートである。
【００５２】
先ず、図５を参照して、情報配信装置１０で実行される広告情報配信処理を説明する。最初に、タクシーの配車を依頼する依頼元としての顧客又は店員が依頼のための顧客名、配車場所及び台数の情報を依頼元ＰＣ３０に操作入力する。依頼元ＰＣ３０は、顧客又は店員による操作入力に応じて依頼情報を作成し、通信ネットワークＮを介して、タクシー配車装置２０に依頼情報を送信する。タクシー配車装置２０は、依頼情報を依頼元ＰＣ３０から受信し、当該依頼情報に応じて適切なタクシーを検索して配車場所に配車指示する。つまり、タクシー配車装置２０は、配車するタクシーＩＤのタクシーのタクシー移動局装置６０に、依頼情報を含む配車の指示情報を送信する。
【００５３】
タクシー移動局装置６０は、配車の指示情報を受信して表示部に表示する。これにより、運転手は、表示された配車の指示情報を目視により確認して、配車場所までタクシーを運転することができる。そして、配車したタクシーが配車場所に到着すると、運転手は、顧客名を確認の上、顧客を座席に案内して乗客とし、当該乗客に入力部８０へ会員カードをかざすことを促し、かざされた会員カードから乗客ＩＤを入力部８０に読み取らせ、乗客に告げられた行き先情報をタクシー移動局装置６０の操作部に入力する。タクシー移動局装置６０は、入力部８０により読み取られた乗客ＩＤと操作入力された行き先情報とを取得し、タクシーＩＤとともに、通信部によりタクシー配車装置２０に送信する。運転手は、乗客ＩＤの入力後に、出発地から行き先までタクシーを運転して移動させる。
【００５４】
タクシー配車装置２０は、通信部により、タクシー移動局装置６０からタクシーＩＤ、乗客ＩＤ及び行き先情報を受信し、受信したタクシーＩＤと、配車場所としての出発地情報と、受信した乗客ＩＤ及び行き先情報とを情報配信装置１０に送信する。この出発地情報及び行き先情報は、出発地及び行き先の緯度経度情報とする。
【００５５】
情報配信装置１０の制御部１１は、通信部１３により、タクシー配車装置２０から配車したタクシーのタクシーＩＤ、乗客ＩＤ、出発地情報及び行き先情報を受信開始したことをトリガとして、広告情報配信処理を実行する。
【００５６】
図５に示すように、情報配信装置１０において、先ず、制御部１１は、通信部１３により、タクシー配車装置２０から配車したタクシーのタクシーＩＤ、乗客ＩＤ、出発地情報及び行き先情報を受信する（ステップＳ１１）。そして、制御部１１は、記憶部１２に記憶されている乗客管理データベース１００を読み出し、ステップＳ１１で受信した乗客ＩＤ１０１に対応する生活圏の地域ＩＤである自宅地域ＩＤ１０３及び勤務先地域ＩＤ１０５を検索する（ステップＳ１２）。
【００５７】
そして、制御部１１は、記憶部１２に記憶されている地域情報データベース２００を読み出し、ステップＳ１２で検索した自宅地域ＩＤ１０３及び勤務先地域ＩＤ１０５の地域ＩＤ２０１に対応する生活圏の範囲情報２０３を読み出す（ステップＳ１３）。
【００５８】
そして、制御部１１は、ステップＳ１１で受信した行き先情報が、ステップＳ１３で読み出された生活圏の範囲情報２０３に含まれ、生活圏の範囲内であるか否かを判別する（ステップＳ１４）。行き先情報が生活圏内である場合（ステップＳ１４；ＹＥＳ）、制御部１１は、ステップＳ１１で受信した出発地情報が、ステップＳ１３で読み出された生活圏の範囲情報２０３に含まれ、生活圏の範囲内であるか否かを判別する（ステップＳ１５）。
【００５９】
出発地情報が生活圏内である場合（ステップＳ１５；ＹＥＳ）、制御部１１は、地域情報データベース２００において地域ＩＤ２０１が０である一般広告の広告ファイル名２０４を検索し、記憶部１２から、当該検索した広告ファイル名２０４の広告ファイルを読み出す（ステップＳ１６）。
【００６０】
行き先情報が生活圏外である場合（ステップＳ１４；ＮＯ）、制御部１１は、地域情報データベース２００において行き先情報が含まれる範囲情報２０３に対応する広告ファイル名２０４を検索し、記憶部１２から、当該検索した広告ファイル名２０４の広告ファイルを読み出す（ステップＳ１７）。
【００６１】
出発地情報が生活圏外である場合（ステップＳ１５；ＮＯ）、制御部１１は、地域情報データベース２００において出発地情報が含まれる範囲情報２０３に対応する広告ファイル名２０４を検索し、記憶部１２から、当該検索した広告ファイル名２０４の広告ファイルを読み出す（ステップＳ１８）。
【００６２】
そして、制御部１１は、記憶部１２に記憶されているＩＤ管理テーブル３００を読み出し、ＩＤ管理テーブル３００において、ステップＳ１１で受信したタクシーＩＤ３０１に対応する端末ＩＤ３０２を読み出し、通信部１３により、ステップＳ１６、Ｓ１７又はＳ１８で読み出した広告ファイルを、読み出した端末ＩＤ３０２に対応する情報処理端末７０に送信し（ステップＳ１９）、広告情報配信処理を終了する。
【００６３】
次いで、図６を参照して、情報処理端末７０で実行される広告情報表示処理を説明する。情報処理端末７０の制御部は、広告情報配信処理のステップＳ１９に対応して、通信部により、情報配信装置１０から広告ファイルを受信開始したことをトリガとして、広告情報表示処理を実行する。広告情報表示処理は、例えば、入力部８０での乗客ＩＤの入力後、出発地から行き先へのタクシーの運転開始後に実行開始される。
【００６４】
図６に示すように、先ず、情報処理端末７０の制御部は、通信部により、情報配信装置１０から広告ファイルを受信完了する（ステップＳ２１）。そして、情報処理端末７０の制御部は、ステップＳ２１で受信した広告ファイルを表示部に表示し（ステップＳ２２）、広告情報表示処理を終了する。ステップＳ２２では、情報処理端末７０の制御部は、広告ファイルが音声情報を含む場合に、音声出力部に音声情報を出力させる。
【００６５】
［１−４．実施の形態の効果］
以上、本実施の形態によれば、情報配信装置１０は、タクシー配車装置２０から、タクシーのタクシーＩＤ、出発地情報、行き先情報及び乗客ＩＤを受信する。そして、情報配信装置１０は、記憶部１２に記憶された乗客管理データベース１００、地域情報データベース２００から、受信した乗客ＩＤ１０１に対応する生活圏の自宅地域ＩＤ１０３及び勤務先地域ＩＤ１０５に対応する範囲情報２０３を読み出し、受信した出発地情報、行き先情報が、読み出した生活圏の範囲情報２０３に含まれて生活圏内であるか否かを判別する。そして、情報配信装置１０は、出発地情報及び行き先情報の少なくとも１つが生活圏外である場合に、生活圏外である出発地情報又は行き先情報が含まれる地域の範囲情報２０３に対応する配信情報としての広告ファイルを記憶部１２から読み出し、ＩＤ管理テーブル３００を用いて、通信部１３により、受信されたタクシーＩＤ３０１に対応する端末ＩＤ３０２の情報処理端末７０に送信する。
【００６６】
このため、タクシーの移動中に、情報処理端末７０が乗客の生活圏外の出発地情報又は行き先情報に対応する広告ファイルを表示し、その広告ファイルを乗客が閲覧できるので、タクシーが行き先に到着するまでの移動時間を有効に利用できるとともに、タクシーの乗客に有用で広告効果の高い生活圏外に対応する広告情報を提供できる。
【００６７】
また、情報配信装置１０は、受信された出発地情報及び行き先情報の両方が生活圏内である場合に、記憶部１２から、地域に関連しない広告ファイルを読み出して情報処理端末７０に送信する。このため、出発地情報及び行き先情報が生活圏内である場合に、乗客に有用でない生活圏内に対応する広告情報の提供を防ぐことができ、乗客に有用で生活圏地域に関連しなく広告効果の高い広告情報を提供できる。
【００６８】
また、情報配信装置１０は、受信された出発地情報及び行き先情報の両方が生活圏外である場合に、記憶部１２から、当該行き先情報が含まれる地域の範囲情報２０３に対応する広告ファイルを読み出して情報処理端末７０に送信する。このため、出発地情報及び行き先情報が生活圏外である場合に、出発地情報よりもこれから移動する行き先情報に対応する広告ファイルを優先して配信するので、乗客にさらに有用で広告効果の高い広告情報を提供できる。
【００６９】
また、情報配信装置１０は、受信されたタクシーＩＤに対応する乗客ＩＤとして、タクシー配車装置２０を介して、入力部８０に入力された乗客ＩＤを受信する。このため、タクシーに乗車した乗客の乗客ＩＤを容易に取得できる。
【００７０】
以上の説明では、本発明に係るプログラムのコンピュータ読み取り可能な媒体としてＲＯＭを使用した例を開示したが、この例に限定されない。
その他のコンピュータ読み取り可能な媒体として、フラッシュメモリ等の書き換え可能なメモリ、ＵＳＢ（Universal Bus）メモリ等の可搬型記録媒体を適用することが可能である。
また、本発明に係るプログラムのデータを通信回線を介して提供する媒体として、キャリアウエーブ（搬送波）も本発明に適用される。
【００７１】
なお、上記実施の形態における記述は、本発明に係る情報配信装置、情報配信方法及びプログラムの一例であり、これに限定されるものではない。
【００７２】
上記実施の形態では、入力部８０が乗客ＩＤの入力を受け付けてタクシー移動局装置６０に出力する構成としたが、これに限定されるものではない。例えば、情報処理端末７０が、乗客ＩＤの入力手段として機能する構成としてもよい。情報処理端末７０の制御部は、タッチパネル等の操作部（図示略）から乗客ＩＤの入力を受け付け、通信部により情報配信装置１０に乗客ＩＤ及び端末ＩＤを送信する。
【００７３】
また、上記実施の形態では、出発地情報及び行き先情報の両方が生活圏外である場合に、情報配信装置１０は、行き先情報に対応する広告ファイルを情報処理端末７０に送信する構成としたが、これに限定するものではない。例えば、情報配信装置１０は、出発地情報及び行き先情報の両方が生活圏外である場合、出発地情報に対応する広告ファイルと行き先情報に対応する広告ファイルとを情報処理端末７０に送信し、情報処理端末７０が、それら両方の広告ファイルを順に表示する構成としてもよい。この表示順は、行き先情報に対応する広告ファイルを優先する方が好ましいが、例えば、出発地から行き先までのルートに基づいて所要時間を算出して所要時間の中間の地点を予測し、タクシーの現在位置を追跡して、タクシーが出発地から中間地点まで走行する間は出発地情報に対応する広告ファイルを表示し、中間地点から行き先に到着するまでの間は行き先情報に対応する広告ファイルを表示するような構成であってもよい。
【００７４】
また、上記実施の形態では、情報配信装置１０は、配信情報として生活圏外の地域の広告ファイルを情報処理端末７０に送信する構成としたが、これに限定するものではない。例えば、情報配信装置１０は、生活圏外の地域の名所旧跡等の案内情報や、当該地域の天気予報、交通渋滞情報等、他の配信情報を情報処理端末７０に送信する構成としてもよい。また、情報配信装置１０は、地域に関連しない配信情報として、全国ニュースや、経済情報等、地域に関連しない他の配信情報を情報処理端末７０に送信する構成としてもよい。
【００７５】
また、上記実施の形態では、移動体としてタクシーを用い、被提供者がタクシーの乗客であり、移動体管理装置としてのタクシー配車装置２０が、依頼元ＰＣ３０及びタクシー移動局装置６０からの受信情報等を用いてタクシーの出発地情報及び行き先情報を管理する構成を説明したが、これに限定されるものではない。例えば、移動体が乗用車等の自動車であり、被提供者が自動車の搭乗者（運転者、同乗者）であり、自動車に搭載されたナビゲーション装置が、移動局装置及び情報処理端末として機能する構成としてもよい。このナビゲーション装置は、制御部、表示部、操作部、通信部等（いずれも図示略）を有する。ナビゲーション装置の制御部は、操作部により搭乗者からの自動車の出発地情報及び行き先情報の入力を受け付けて、通信部により移動体管理装置に送信する。そして、情報配信装置１０は、上記実施の形態の広告情報配信処理と同様にして、移動体管理装置から自動車の出発地情報及び行き先情報を受信し、配信情報としての広告ファイルを選択してナビゲーション装置に送信する。そして、ナビゲーション装置の制御部は、通信部により広告ファイルを受信して表示部に表示する。搭乗者は、表示された広告ファイルを閲覧する。
【００７６】
また、上記移動体としては、自動車に限定されるものではなく、自動車以外の車両、船舶、航空機等、他の移動体としてもよい。
【００７７】
また、上記実施の形態における情報配信システム１の各構成要素の細部構成及び細部動作に関しては、本発明の趣旨を逸脱することのない範囲で適宜変更可能であることは勿論である。
【００７８】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７９】
１  情報配信システム
１０  情報配信装置
１１  制御部
１２  記憶部
１３  通信部
２０  タクシー配車装置
３０  依頼元ＰＣ
４０，５０  基地局
６０  タクシー移動局装置
７０  情報処理端末
Ｔ１  タクシー
【図１】
0005492266.tif 000002
【図２】
0005492266.tif 000003
【図３】
0005492266.tif 000004
【図４】
0005492266.tif 000005
【図５】
0005492266.tif 000006
【図６】
0005492266.tif 000007